(57)【要約】      （修正有）【課題】運転手の空気感染防止に有益な飛沫遮蔽シートおよびそれを取付けた自動車を提供する。【解決手段】自動車における運転席１を助手席２および後部座席から遮蔽するための合成樹脂製の透明な飛沫遮蔽シート１０である。飛沫遮蔽シート１０が平面視でＬ字形であり、飛沫遮蔽シート１０の上縁を自動車の天井下面に取付け、一方の側縁を後部ドアパネル６に取付けた。飛沫遮蔽シート１０が運転席１を助手席２および後部座席から遮蔽するので、乗客が発する飛沫が運転手に到達しないようにできる。【選択図】図１
0003229303.tif 000002
【実用新案登録請求の範囲】
【請求項１】
自動車における運転席を助手席および後部座席から遮蔽するための合成樹脂製の透明な飛沫遮蔽シート。
【請求項２】
請求項１の飛沫遮蔽シートを運転席のまわりに取付けた
ことを特徴とする自動車。
【請求項３】
前記飛沫遮蔽シートが平面視でＬ字形であり、該飛沫遮蔽シートの上縁を自動車の天井下面に取付け、一方の側縁を後部ドアパネルに取付けた
ことを特徴とする請求項２記載の自動車。
【考案の詳細な説明】
【技術分野】
【０００１】
本考案は、飛沫遮蔽シートおよびそれを取付けた自動車に関する。
【背景技術】
【０００２】
タクシーのような不特定多数の乗客を運ぶ自動車の運転手は、各種のウイルスに感染するリスクが高い。
【０００３】
運転手の感染予防は重要な課題であるが、現在有効な対策はたてられていない。
室内の換気機能を防止する換気構造が開示されている特許文献１の従来技術では、間接的に感染予防に役立つとしても、直接的に感染予防を可能とするものではない。
【先行技術文献】
【特許文献】
【０００４】
【特許文献１】特開２０１０−６３１４号公報
【考案の概要】
【考案が解決しようとする課題】
【０００５】
本考案は上記事情に鑑み、運転手の空気感染防止に有益な飛沫遮蔽シートおよびそれを取付けた自動車を提供することを目的とする。
【課題を解決するための手段】
【０００６】
第１考案の飛沫遮蔽シートは、自動車における運転席を助手席および後部座席から遮蔽するための合成樹脂製の透明なシートであることを特徴とする。
第２考案の自動車は、請求項１の飛沫遮蔽シートを運転席のまわりに取付けたことを特徴とする。
第３考案の自動車は、第２考案において、前記飛沫遮蔽シートが平面視でＬ字形であり、該飛沫遮蔽シートの上縁を自動車の天井下面に取付け、一方の側縁を後部ドアパネルに取付けたことを特徴とする。
【考案の効果】
【０００７】
第１考案によれば、飛沫遮蔽シートが運転席を助手席および後部座席から遮蔽するので、乗客が発する飛沫が運転手に到達しないようにできる。
第２考案によれば、飛沫遮蔽シートを運転手のまわりに取付けた状態であると、乗客が発する飛沫が運転手に到達しないようにできる。
第３考案によれば、飛沫遮蔽シートを天井から吊下げ、かつ一側縁をドアパネルに取付けると、平面視Ｌ字形の飛沫遮蔽シートが安定して運転席まわりに設置できる。
【図面の簡単な説明】
【０００８】
【図１】本考案の一実施形態に係る飛沫遮蔽シートを自動車に取付けた状態で斜め後方右側からみた説明図である。
【図２】図１の飛沫遮蔽シートを斜め後方左側からみた説明図である。
【図３】図１の飛沫遮蔽シートを助手席からみた説明図である。
【考案を実施するための形態】
【０００９】
つぎに、本考案の実施形態を図面に基づき説明する。
図１〜図３において、１は運転席、２は助手席、３は後部座席を示す。また、５は天井、６はドアパネル、８はセンターコンソールである。図示する運転席１等の形態は一例であって、それらに限定されるものではない。また、自動車の車種にも制限されない。
【００１０】
本考案の飛沫遮蔽シート１０は、運転席１のまわりに取付けられるもので、背面部１１と側面部１２とからなるシートである。背面部１１と側面部１２とは一つながりの一体のシートであってもよく、２枚のシートをつなげたシートであってもよい。
【００１１】
飛沫遮蔽シート１０の横方向寸法は、自動車の運転席１を取り囲める大きさであればよい。上下寸法はセンターコンソール８から天井５までの寸法があればよい。この位の寸法があれば、後部座席３から飛んでくる飛沫を遮蔽できる。
【００１２】
遮蔽シート１０は合成樹脂製であることが好ましい。シートの厚さは厚くする必要がない。ただし、薄すぎると車内の空気流でまくれ上がるので良くない。概ね0.3〜0.5ｍｍ位が好ましく、この範囲の厚さであると、車内への取付けが容易で、車内空気流（たとえば、エアコンからの冷暖気）に対してもシートの垂れ下がり姿勢を維持できる。
【００１３】
飛沫遮蔽シート１０は透明であることが好ましい。透明であると運転手の視界を妨げないからである。
【００１４】
飛沫遮蔽シート１０の車内への取付け方は任意である。
図示の例では、飛沫遮蔽シート１０の上縁は面ファスナー（商品名「マジックテープ（登録商標）」や商品名「ベルクロ（登録商標）」がある）を用いて、天井裏面のクロスに接合している。
飛沫遮蔽シート１０の後部乗降口側の側縁は、後部ドアのドアパネルのクロスに面ファスナーを用いて接合している。
飛沫遮蔽シート１０の助手席２側の下縁は、面ファスナーを用いてセンターコンソール８に接合している。
飛沫遮蔽シート１０の取付けは、この３カ所でよく、それにより運転席１まわりを囲んだ形状を維持できる。
【００１５】
飛沫遮蔽シート１０の車内への取付け方には、任意であってよく、両面テープや磁石による磁着、その他ステーを天井にビスで留めたり、画びょうや縫い付けなど、種々の手段を採用できる。
いずれの方法も車体の材料との関係から脱着容易な手法を用いればよい。
【００１６】
飛沫遮蔽シート１０は脱着可能であることが好ましく、脱着が容易であれば、取外してクリーニングする作業が容易に行える。
【００１７】
本考案によれば、飛沫遮蔽シートが運転席を助手席および後部座席から遮蔽するので、乗客が発する飛沫が運転手に到達しないようにできる。
【符号の説明】
【００１８】
１  運転席
２  助手席
３  後部座席
５  天井
６  ドアパネル
１０  飛沫遮蔽シート
１１  背面部
１２  側面部
【図１】
0003229303.tif 000003
【図２】
0003229303.tif 000004
【図３】
0003229303.tif 000005
【手続補正書】
【提出日】令和2年9月1日(2020.9.1)
【手続補正１】
【補正対象書類名】実用新案登録請求の範囲
【補正対象項目名】全文
【補正方法】変更
【補正の内容】
【実用新案登録請求の範囲】
【請求項１】
自動車における運転席のまわりに取付けられる飛沫遮蔽シートであって、
前記飛沫遮蔽シートが平面視でＬ字形であり、該飛沫遮蔽シートの上縁が自動車の天井下面に取付けられ、一方の側縁が後部ドアパネルに取付けられるものである
ことを特徴とする飛沫遮蔽シート。
【請求項２】
平面視でＬ字形の飛沫遮蔽シートが運転席のまわりに配置され、該飛沫遮蔽シートの上縁が自動車の天井下面に取付けられ、一方の側縁を後部ドアパネルに取付けられている
ことを特徴とする自動車。
【手続補正２】
【補正対象書類名】明細書
【補正対象項目名】０００６
【補正方法】変更
【補正の内容】
【０００６】
第１考案の飛沫遮蔽シートは、自動車における運転席のまわりに取付けられる飛沫遮蔽シートであって、前記飛沫遮蔽シートが平面視でＬ字形であり、該飛沫遮蔽シートの上縁が自動車の天井下面に取付けられ、一方の側縁が後部ドアパネルに取付けられるものであることを特徴とする。
第２考案の自動車は、平面視でＬ字形の飛沫遮蔽シートが運転席のまわりに配置され、該飛沫遮蔽シートの上縁が自動車の天井下面に取付けられ、一方の側縁を後部ドアパネルに取付けられていることを特徴とする。
【手続補正３】
【補正対象書類名】明細書
【補正対象項目名】０００７
【補正方法】変更
【補正の内容】
【０００７】
第１考案によれば、飛沫遮蔽シートを天井から吊下げ、かつ一側縁をドアパネルに取付けると、平面視Ｌ字形の飛沫遮蔽シートを安定して運転席まわりに設置できる。
第２考案によれば、飛沫遮蔽シートを運転席のまわりに取付けると、運転席が助手席および後部座席から遮蔽されるので、乗客が発する飛沫が運転手に到達しないようにできる。